(57)【要約】【課題】データ読み書き性能に影響を与える振動が記録用テープに伝搬されることを可及的に防止すること。【解決手段】記録用テープ巻取りリールは、記録用テープが巻き回されるよう構成されるハブと、前記ハブを軸方向に挟むように配置され、前記ハブから分離可能である上下フランジと、を有し、前記ハブは、前記記録用テープが巻き回されるよう構成される外周部と、前記上下フランジと締結可能に前記外周部の内周側に配置された少なくとも１つの支柱部と、前記少なくとも１つの支柱部から前記外周部が片持ちされるよう前記少なくとも１つの支柱部と前記外周部との間に配置された少なくとも１つの梁部と、を備え、さらに、前記少なくとも１つの梁部と前記上下フランジの少なくとも一方との間に配置された少なくとも１つの防振材を有する。【選択図】図２
2018147547.tif 000002
【特許請求の範囲】
【請求項１】
記録用テープが巻き回されるよう構成されるハブと、
前記ハブを軸方向に挟むように配置され、前記ハブから分離可能である上下フランジと、を有し、
前記ハブは、
前記記録用テープが巻き回されるよう構成される外周部と、
前記上下フランジと締結可能に前記外周部の内周側に配置された少なくとも１つの支柱部と、
前記少なくとも１つの支柱部から前記外周部が片持ちされるよう前記少なくとも１つの支柱部と前記外周部との間に配置された少なくとも１つの梁部と、を備え、
さらに、前記少なくとも１つの梁部と前記上下フランジの少なくとも一方との間に配置された少なくとも１つの防振材を有することを特徴とする記録用テープ巻取りリール。
【請求項２】
前記記録用テープは磁気テープであることを特徴とする請求項１記載の記録用テープ巻取りリール。
【請求項３】
前記上下フランジを前記支柱部に締結可能な少なくとも１つの締結部材を有することを特徴とする請求項１又は２記載の記録用テープ巻取りリール。
【請求項４】
前記少なくとも１つの梁部の厚さは、前記少なくとも１つの支柱部の軸長よりも薄いことを特徴とする請求項１〜３のいずれか一記載の記録用テープ巻取りリール。
【請求項５】
前記少なくとも１つの梁部において、半径方向の剛性が軸方向の剛性に比べて高いことを特徴とする請求項１〜４のいずれか一記載の記録用テープ巻取りリール。
【請求項６】
前記少なくとも１つの梁部と前記上下フランジの両方との間に複数の前記防振材が配置されることを特徴とする請求項１〜５のいずれか一記載の記録用テープ巻取りリール。
【請求項７】
前記下フランジは、前記記録用テープ巻取りリールの回転駆動軸に接続されることを特徴とする請求項１〜６のいずれか一記載の記録用テープ巻取りリール。
【請求項８】
請求項１〜７のいずれか一記載の前記記録用テープ巻取りリールを搭載することを特徴とする記録用テープ装置。
【請求項９】
前記記録用テープは磁気テープであることを特徴とする請求項８記載の記録用テープ装置。
【請求項１０】
前記記録用テープ巻取りリールの回転駆動軸を駆動するモーターを有することを特徴とする請求項９記載の記録用テープ装置。
【発明の詳細な説明】
【技術分野】
【０００１】
本発明は、記録用テープ巻取りリールおよびそれを搭載する記録用テープ装置に関する。
【背景技術】
【０００２】
特許文献１に開示された磁気テープ装置では、磁気テープ巻取り方向と垂直な方向に磁気ヘッドを動かし、精密な位置決めをすることでデータの読み書きを行っている。
【０００３】
磁気テープ装置に搭載される記録用テープ巻取りリールは、磁気テープを正常に巻取りできるようハブと上下フランジを有する。
【０００４】
記録用テープ巻取りリールとして、ハブと下側フランジを一体成型したものと、独立した上側フランジを組み合わせるもの、あるいはそれぞれ独立したハブと上下フランジを組み合わせるものが存在する。
【先行技術文献】
【特許文献】
【０００５】
【特許文献１】実開昭５９−００５０７４号公報
【発明の概要】
【発明が解決しようとする課題】
【０００６】
なお、上記文献の開示を本書に引用をもって繰り込む。以下に上述した関連技術の分析を与える。
【０００７】
例えば、記録用テープが磁気テープである場合、データ読み書きのため、磁気テープ巻取り動作を行う際には回転駆動源から振動が生じる。磁気テープの巻き取り方向と垂直な方向、すなわち回転軸方向への振動は、磁気テープ巻取りリールへと伝搬し、更にリールを介して磁気テープへと伝搬する。これによって、データ読み書き性能に悪影響を及ぶことが課題となっている。
【０００８】
上述したようなテープ巻取りリールにおいては、ハブ部分の剛性が高すぎる場合、回転駆動軸とハブとの間の接続構成にかかわらず、回転駆動軸からの振動はあまり減衰されることなく、ハブを介して磁気テープへ伝搬してしまうおそれがある。特許文献１のカセットテープのハブ構造においては、ハブの外周部と内周部の隙間に弾性連結材を挟んでいる。しかしながら、このような防振構造によれば、かえってハブの軸中心がずれるため、アンバランスによる振動悪化が懸念される。
【０００９】
本発明は、上記課題に鑑みて創案されたものであって、その目的の一つは、データ読み書き性能に影響を与える振動が記録用テープに伝搬されることを可及的に防止することである。その他の目的および効果等は、本開示から当業者に明らかになるであろう。
【課題を解決するための手段】
【００１０】
本発明の一つの視点によれば、記録用テープが巻き回されるよう構成されるハブと、前記ハブを軸方向に挟むように配置され、前記ハブから分離可能である上下フランジと、を有し、前記ハブは、前記記録用テープが巻き回されるよう構成される外周部と、前記上下フランジと締結可能に前記外周部の内周側に配置された少なくとも１つの支柱部と、前記少なくとも１つの支柱部から前記外周部が片持ちされるよう前記少なくとも１つの支柱部と前記外周部との間に配置された少なくとも１つの梁部と、を備え、さらに、前記少なくとも１つの梁部と前記上下フランジの少なくとも一方との間に配置された少なくとも１つの防振材を有することを特徴とする記録用テープ巻取りリールが提供される。
【００１１】
本発明の一つの視点によれば、上記記録用テープ巻取りリールを搭載する記録用テープ装置が提供される。
【発明の効果】
【００１２】
本発明の１つの視点によれば、データ読み書き性能に影響を与える振動が記録用テープに伝搬されることを可及的に防止することができる記録用テープ巻取りリールおよびそれを搭載する記録用テープ装置が提供される。
【図面の簡単な説明】
【００１３】
【図１】一実施形態の記録用テープ巻取りリールの外観図である。
【図２】図１の記録用テープ巻取りリールの分解図である。
【図３】図２のハブの上面図である。
【図４】図３のハブを軸方向に切断した断面図である。
【図５】図１の記録用テープ巻取りリールを搭載する磁気テープ装置の外観図である。
【図６】図５の磁気テープ装置の要部断面図である。
【発明を実施するための形態】
【００１４】
添付図面を参照して、一実施形態の記録用テープ巻取りリール１００の概要を説明する。一実施形態の記録用テープ巻取りリール１００は、記録用テープ（例えば図５の磁気テープ６０２参照）が巻き回されるよう構成されるハブ４００と、ハブ４００を軸方向に挟むように配置され、ハブ４００から分離可能である上下フランジ（以下「上側フランジ」２００および「下側フランジ」５００と称する）を有する。
【００１５】
ハブ４００は、記録用テープが巻き回されるよう構成される外周部（以下「ハブ外壁」と称する）４０１と、上側および下側フランジ２００，５００と締結可能にハブ外壁４０１の内周側に配置された少なくとも１つの支柱部（以下「ハブ支柱」と称する）４０２と、少なくとも１つのハブ支柱４０２からハブ外壁４０１が片持ちされるよう少なくとも１つのハブ支柱４０２とハブ外壁４０１との間に配置された少なくとも１つの梁部（以下「ハブ支持梁」と称する）４０３を備える。
【００１６】
記録用テープ巻取りリール１００は、さらに、少なくとも１つのハブ支持梁４０３と上側および下側フランジ２００，５００の少なくとも一方との間に配置された少なくとも１つの防振材３００を有する。
【００１７】
関連技術に係る磁気テープ装置においては、テープ巻取りリールを介して回転駆動軸から磁気テープへと伝搬する軸方向の振動が、磁気テープへのデータ読み書き性能に悪影響を及ぼす場合がある。
【００１８】
一実施形態に係る記録用テープ巻取りリール１００、例えば磁気テープ装置の磁気テープ巻取りリールにおいては、ハブ４００とフランジ２００，５００を分離することによりそれらの間に防振材３００を挟むことが可能となる。さらに、ハブ４００を剛性の低い形状にすることにより、回転駆動軸からハブ４００を介して磁気テープのような記録用テープへ伝搬する振動を低減することができる。
【００１９】
すなわち、記録用テープ巻取りリール１００によれば、上側および下側フランジ２００，５００とハブ４００を分離する。ハブ４００は、ハブ４００を上側および下側フランジ２００，５００に固定するハブ支柱４０２と、記録用テープが巻きつくハブ外壁４０１とを片持ち梁構造で接続した構造を有する。さらに、ハブ支持梁４０３と上側および下側フランジ２００，５００の間に防振材３００を設ける。これによって、ハブ外壁４０１の回転軸方向に対する振動伝達率が抑制されて振動減衰効果が高められる。この結果、回転駆動軸からハブ外壁４０１を介して磁気テープへと伝搬する振動が低減される。
【００２０】
一実施形態の記録用テープ巻取りリール１００は、磁気テープ用に好適に使用され、例えば磁気テープカートリッジ内のリールに適用される。一実施形態の記録用テープ巻取りリールは、他の形式の記録用テープ、例えば、光学式、機械式等のテープにも適用可能である。
【００２１】
＜実施形態＞
例示的な実施形態について、図面を参照して詳細に説明する。
【００２２】
図１は、記録用テープ巻取りリール１００の完成状態を示す。図２は、記録用テープ巻取りリール１００の分解図を示す。図１および図２を参照して、記録用テープ巻取りリール１００は、上側フランジ２００、防振材３００、ハブ４００、下側フランジ５００を有する。
【００２３】
上側フランジ２００とハブ４００の間、および下側フランジ５００とハブ４００の間には、それぞれ防振材３００が挟まれている。防振材３００には、発泡ウレタンフォームのように弾性部材を用いることができるが、これに限定されるものではない。防振材３００は、上側フランジ２００または下側フランジ５００とハブ４００との間の隙間よりも、大きい厚さを有することが好ましい。防振材３００が弾性変形することにより、振動が吸収される。
【００２４】
図３はハブ４００の上面図を示す。図３を参照すると、ハブ４００は、ハブ４００の外周に例えば磁気テープが巻き回されるハブ外壁４０１と、ハブ４００に上側フランジ２０および下側フランジ５００を締結するためのハブ支柱４０２と、ハブ外壁４０１とハブ支柱４０２を接続するハブ支持梁４０３を有する。ハブ支持梁４０３は、剛性が低くなるように薄く形成されている。図３中、平面視において、ハブ支持梁４０３は放射状に形成され、複数のハブ支柱４０２は周方向に１２０度間隔で配置されている。上側および下側フランジ２００，５００は、締結部材であるネジ２０１，５０１によって、ハブ支柱４０２に締結されている。これによって、上側および下側フランジ２００，５００とハブ４００が一体化されている。
【００２５】
図４は、記録用テープ巻取りリール１００をハブ支柱４０２およびハブ支持梁４０３が含まれるように切断した断面図を示す。図４を参照すると、ハブ支持梁４０３と上側フランジ２００の間、およびハブ支持梁４０３と下側フランジ５００の間にそれぞれ防振材３００が挟まれている。
【００２６】
図３および図４を参照して、ハブ支持梁４０３の厚さは、ハブ支柱４０２の軸長よりも薄い。このため、ハブ支持梁４０３において、半径方向の剛性は軸方向の剛性に比べて高い。ハブ外壁４０１は、このように軸方向に薄いハブ支持梁４０３によって支持されている。したがって、ハブ外壁４０１は、軸方向（図４中の上下方向）については、外力とハブ支持梁４０３の弾性の対応関係に応じた変位が生じ易い。しかし、ハブ外壁４０１は、半径方向についてはハブ支持梁４０３の剛性が相対的に高いため、外力に対してほとんど変位を生じず、中心位置を保持することが可能である。
【００２７】
図５および図６を参照して、以上説明した記録用テープ巻取りリール１００を搭載する磁気テープ装置６００の一例を説明する。本例の場合、記録用テープは磁気テープ６０２であるが、これに限定されるものではない。
【００２８】
図５は、記録用テープ巻取りリール１００が磁気テープ装置６００に搭載され、磁気テープ６０２がテープカートリッジ６０１から引出された状態を示す。磁気テープ６０２は、不図示のアームによって駆動されるテープ引出しブロック６０５によってテープカートリッジ６０１から引出され、ガイドローラー６０４と磁気ヘッド６０３を経由して記録用テープ巻取りリール１００へと巻き取られる。
【００２９】
図６は、磁気テープ装置６００に搭載された状態の記録用テープ巻取りリール１００の断面図を示す。図６を参照すると、磁気テープ装置６００は、記録用テープ巻取りリール１００の回転駆動軸として、モーター７００によって駆動されるモーターシャフト７０１を有する。モーターシャフト７０１は、記録用テープ巻取りリール１００の下側フランジ５００にネジ留めされている。なお、モーターシャフト７０１を記録用テープ巻取りリール１００の所定部材に固定する構成（固定部）はこれに限定されるものではない。
【００３０】
磁気テープ装置６００の動作を説明する。図６を参照して、ハブ外壁４０１は低剛性のハブ支持梁４０３によって支持されている。したがって、ハブ外壁４０１の固有振動数は高剛性を有する関連技術のハブに比べて低くなり、回転周波数に対する振動伝達率が低減される。
【００３１】
モーター７００が駆動すると、モーターシャフト７０１が回転し、それに伴う振動が下側フランジ５００へ伝搬する。振動は、さらに、下側フランジ５００からは、下側フランジ５００に固定されたハブ支柱４０２を介してハブ支持梁４０３へ伝搬する。
【００３２】
しかしながら、振動がハブ外壁４０１へと伝搬する前に、上下の防振材３００，３００によって振動は減衰される。このため、磁気テープ装置６００においては、関連技術のハブを用いる場合に比べて、振幅倍率が低減される。また、ハブ４００は半径方向には剛性が相対的に高く、外力に対してほぼ変位を実質的に生じない。このため、テープ巻取りによって回転重心位置がずれてアンバランスが生じ、振動が悪化するという現象を防止することが可能である。
【００３３】
磁気テープ装置６００は、ハブ外壁４０１を片持ち梁部（形状）で支える構造を有する。片持ち梁部（ハブ支持梁４０３）からは、リール回転軸方向の低剛性および低弾性が得られる。これによって、振動伝達率を低減しながら、半径方向には高い剛性を提供することができる。したがって、ハブ４００の中心位置の安定的な保持を可能としながら、重心のアンバランスによる振動悪化を防止することができる。さらに、上側および下側フランジ２００，５００とハブ支持梁４０３の間に設けられた防振材３００，３００からは減衰効果が得られる。これによって、振幅倍率を低減することができる。以上より、回転駆動軸（モーターシャフト７０１）から記録用テープ巻取りリール１００を介して磁気テープ６０２へと伝搬する振動が抑制されるため、磁気データ読み書き性能への影響を低減することが可能となる。
【００３４】
なお、上記の特許文献の開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施例の各要素、各図面の各要素等を含む）の多様な組み合わせ乃至選択が可能である。すなわち、本発明は、請求の範囲を含む全開示、技術的思想にしたがって当業者であればなし得るであろう各種変形、修正を含むことは勿論である。
【００３５】
特に制限されないが、実施形態及び変形例等は以下のように付記される。
（付記１）
下記の記録用テープ巻取りリールを搭載する記録用テープ装置：
記録用テープが巻き回されるよう構成されるハブと、
前記ハブを軸方向に挟むように配置され、前記ハブから分離可能である上下フランジと、を有し、
前記ハブは、
前記記録用テープが巻き回されるよう構成される外周部と、
前記上下フランジと締結可能に前記外周部の内周側に配置された少なくとも１つの支柱部と、
前記少なくとも１つの支柱部から前記外周部が片持ちされるよう前記少なくとも１つの支柱部と前記外周部との間に配置された少なくとも１つの梁部と、を備え
さらに、前記少なくとも１つの梁部と、前記上下フランジの少なくとも一方との間に配置された少なくとも１つの防振材を有することを特徴とする記録用テープ巻取りリール。
記録用テープは例えば磁気テープである。
（付記２）
前記上下フランジを前記支柱部に締結可能な少なくとも１つの締結部材を有する記録用テープ巻取りリールを搭載することを特徴とする付記１の記録用テープ装置。
（付記３）
前記少なくとも１つの梁部の厚さは、前記少なくとも１つの支柱部の軸長よりも薄い記録用テープ巻取りリールを搭載する付記１等の記録用テープ装置。
（付記４）
前記少なくとも１つの梁部において、半径方向の剛性が軸方向の剛性に比べて高い記録用テープ巻取りリールを搭載する付記１等の記録用テープ装置。
（付記５）
前記少なくとも１つの梁部と前記上下フランジの間に複数の前記防振材が配置される記録用テープ巻取りリールを搭載する付記１等の記録用テープ装置
（付記６）
前記下フランジは、記録用テープ巻取りリールの回転駆動軸に接続される記録用テープ巻取りリールを搭載する付記１等の記録用テープ装置。
【符号の説明】
【００３６】
１００  記録用テープ巻取りリール
２００  上側フランジ（上フランジ）
２０１  ネジ（締結部材）
３００  防振材
４００  ハブ
４０１  ハブ外壁（外周部）
４０２  ハブ支柱（支柱部）
４０３  ハブ支持梁（梁部）
４００  ハブ
５００  下側フランジ（下フランジ）
５０１  ネジ（締結部材）
６００  磁気テープ装置
６０１  テープカートリッジ
６０２  磁気テープ
６０３  磁気ヘッド
６０４  ガイドローラー
６０５  テープ引出しブロック
７００  モーター
７０１  モーターシャフト
【図１】
2018147547.tif 000003
【図２】
2018147547.tif 000004
【図３】
2018147547.tif 000005
【図４】
2018147547.tif 000006
【図５】
2018147547.tif 000007
【図６】
2018147547.tif 000008